(57)【要約】      （修正有）【課題】音光効果により、使用時の面白さを向上し、全体の運動効果を長くし、且つ音光の変化により、使用者が運動状況を分かるようになるので、使用効果が向上できる腰ねじり用デスクの提供。【解決手段】本体は、その一端には使用者の腰の寄りを受けるための当接板が設けてあり、他端には下へ枢接する連接ロッド設けてあり、且つその両側にはそれぞれ一ハンドルが設けてあり、連接ロッドの底部には上はずみ車と下はずみ車とが枢接し設けてあり、且つ上下はずみ車の間に前記連接ロッドは一結合具と連接し、下はずみ車の結合具と対応する箇所では一発電装置が設けてあり、上下はずみ車が連接ロッドに対して偏芯に旋回するときに、発電装置が駆動され発電しブザーと発光体とに供電し、前記発光体が上はずみ車の上面に設置される。【選択図】図２
0003105537.tif 000002
【実用新案登録請求の範囲】
【請求項１】
本体と、上はずみ車と、結合具と、下はずみ車と、発電装置と、音光発生組とを含む、発光効果を持つ腰ねじり用ディスクにおいて、
前記本体は、その一端には使用者の腰の寄りを受けるための当接板が設けてあり、他端には下へ枢接する連接ロッドが設けてあり、且つその両側にはそれぞれ一ハンドルが設けてあり、
前記上はずみ車は、中央部からズレる箇所には前記連接ロッドが挿入してあり、
前記結合具は、前記上はずみ車の下に設けられ、且つ前記連接ロッドの自在端に枢接し設けてあり、これにより、前記上はずみ車が結合具の上部に固定され、なお、前記結合具の内部には非円形なせ制限部が設けてあり、
前記下はずみ車は、前記上はずみ車の下面と合って螺着され、且つ前記連接ロッドの反対側には一重りが設けてあり、
前記発電装置は、前記上はずみ車と下はずみ車との間に設置され、前記結合具の下方にある上はずみ車の内部に位置され、前記結合具と対応する前記下はずみ車に固定される一固定片が設けてあり、且つ前記固定片の底部には一発電組が設けてあり、前記固定片の上部には前記発電組を駆動できる歯車組が設けてあり、前記歯車組には、前記結合具の制限部を嵌合するための嵌合溝が設けてあり、且つ前記固定片を貫通し前記発電組に連結するための一駆動軸が連結してあり、
前記音光発生組は、前記上はずみ車と下はずみ車との間に設置され、且つ前記固定片の一側面に固定される回路板が設けてあり、二本の電線が前記回路板と接続してあり、電線の回路板との接点の他端には少なくとも一発光体が設けてあり、前記発光体が前記上はずみ車の周縁に固定されることを特徴とする、発光効果を持つ腰ねじり用ディスク。
【請求項２】
前記上はずみ車は楕円状を呈し、且つ結合具の前記上はずみ車と対応する部分が半円球状を呈し、前記歯車組には一第一歯車が設けてあり、前記第一歯車が固定片に枢接し設けられ、且つ前記第一歯車の上面に一結合部が設けてあり、前記結合部には結合具にある制限部を嵌合するための嵌合溝が設けてあり、且つ第一歯車と噛み合う第二歯車が設けてあり、前記第二歯車は、固定片に枢接し設けられ、その下方に第三歯車が同軸に固定してあり、且つ前記第三歯車と噛み合う第四歯車が設けてあり、前記第四歯車には駆動軸が設けてあることを特徴とする、請求項1に記載の発光効果を持つ腰ねじり用ディスク。
【考案の詳細な説明】
【技術分野】
【０００１】
本考案はヘルス装置に係り、特に使用効果が向上でき、且つ使用時の面白さを促進できる、発光効果を持つ腰ねじり用ディスクに関するものである。
【背景技術】
【０００２】
一般の腰ねじり用ディスクは、左右におよび上下に捩ることができるが、その左右に旋回できる角度が装置全体の制限により少ないので、運動効果が良くなく、且つ音光効果が乏しいので、運動状況を表示できないと共に、使用時の面白さも低い。
【考案の開示】
【考案が解決しようとする課題】
【０００３】
本考案の主な目的は、音光効果により、使用時の面自さを向上し、全体の運動効果を良くし、且つ音光の変化により、使用者が運動状況を分かるようになるので、使用効果が向上できる、発光効果を持つ腰ねじり用ディスクを提供する。
【課題を解決するための手段】
【０００４】
上記目的を達成するためになされた本願の考案は、本体と、上はずみ車と、結合具と、下はずみ車と、発電装置と、音光発生組とを含む、発光効果を持つ腰ねじり用ディスクにおいて、前記本体は、その一端には使用者の腰の寄りを受けるための当接板が設けてあり、他端には下へ枢接する連接ロッドが設けてあり、且つその両側にはそれぞれ一ハンドルが設けてあり、前記上はずみ車は、中央部からズレる箇所には前記連接ロッドが挿入してあり、前記結合具は、前記上はずみ車の下に設けられ、且つ前記連接ロッドの自在端に枢接し設けてあり、これにより、前記上はずみ車が結合具の上部に固定され、なお、前記結合具の内部には非円形なせ制限部が設けてあり、前記下はずみ車は、前記上はずみ車の下面と合って螺着され、且つ前記連接ロッドの反対側には一重りが設けてあり、前記発電装置は、前記上はずみ車と下はずみ車との間に設置され、前記結合具の下方にある上はずみ車の内部に位置され、前記結合具と対応する前記下はずみ車に固定される一固定片が設けてあり、且つ前記固定片の底部には一発電組が設けてあり、前記固定片の上部には前記発電組を駆動できる歯車組が設けてあり、前記歯車組には、前記結合具の制限部を嵌合するための嵌合溝が設けてあり、且つ前記固定片を貫通し前記発電組に連結するための一駆動軸が連結してあり、前記音光発生組は、前記上はずみ車と下はずみ車との間に設置され、且つ前記固定片の一側面に固定される回路板が設けてあり、二本の電線が前記回路板と接続してあり、電線の回路板との接点の他端には少なくとも一発光体が設けてあり、前記発光体が前記上はずみ車の周縁に固定されることを特徴とする、発光効果を持つ腰ねじり用ディスクであることを要旨としている。
【０００５】
本願の考案では、前記上はずみ車は楕円状を呈し、且つ結合具の前記上はずみ車と対応する部分が半円球状を呈し、前記歯車組には一第一歯車が設けてあり、前記第一歯車が固定片に枢接し設けられ、且つ前記第一歯車の上面に一結合部が設けてあり、前記結合部には結合具にある制限部を嵌合するための嵌合溝が設けてあり、且つ第一歯車と噛み合う第二歯車が設けてあり、前記第二歯車は、固定片に枢接し設けられ、その下方に第三歯軍が同軸に固定してあり、且つ前記第三歯車と噛み合う第四歯車が設けてあり、前記第四歯車には駆動軸が設けてあることを特徴とする、請求項１に記載の発光効果を持つ腰ねじり用ディスクであることを要旨としている。
【考案の効果】
【０００６】
本考案に係る発光効果を持つ腰ねじり用ディスクによれば、音光効果により、使用時の面白さを向上し、全体の運動効果を良くし、且つ音光の変化により、使用者が運動状況を分かるようになるので、使用効果が向上できる。
【考案を実施するための最良の形態】
【０００７】
以下、添付図面を参照して本考案の好適な実施の形態を詳細に説明する。
【０００８】
まず、図１乃至図３を参照する。本考案に係る発光効果を持つ腰ねじり用ディスクは、本体10と、上はずみ車20と、結合具30と、下はずみ車40と、発電装置50と、音光発生組60とを含む。
【０００９】
前記本体10は、その一端には使用者の腰の寄りを受けるための当接板11が設けてあり、他端には下へ枢接する連接ロッド12設けてあり、且つその両側にはそれぞれ一ハンドル13が設けてある。
【００１０】
前記上はずみ車20は、楕円状を呈し、中央部からズレる箇所には前記連接ロッド12が挿入してあり、且つ前記連接ロッド12の反対側には一貫通孔21が開けてある。
【００１１】
前記結合具30は、前記上はずみ車20の下に設けられ、且つ前記連接ロッド12の自在端に枢接し設けてあり、結合具30の前記上はずみ車20と対応する部分が半円球状を呈し、これにより、前記上はずみ車20が結合具30の上部に固定され、なお、前記結合具30の内部には非円形なせ制限部31が設けてある。
【００１２】
前記下はずみ車40は、前記上はずみ車20の下面と合って螺着され、且つ前記連接ロッド12の反対側には一重り41が設けてある。
【００１３】
前記発電装置50は、図4に示すように、前記上はずみ車20と下はずみ車40との間に設置され、前記結合具30の下方にある上はずみ車20の内部に位置され、前記結合具30と対応する前記下はずみ車40に固定される一固定片51が設けてあり、且つ前記固定片51の底部には一発電組52が設けてあり、前記固定片51の上部には前記発電組52を駆動できる歯車組53が設けてあり、前記歯車組53には、一第一歯車54が設けてあり、前記第一歯車54が固定片51に枢接し設けられ、且つ前記第一歯車54の上面に一結合部55が設けてあり、前記結合部55には結合具30にある制限部31を嵌合するための嵌合溝54が設けてあり、且つ第一歯車54と噛み合う第二歯車56が設けてあり、前記第二歯車56は、固定片51に枢接し設けられ、その下方に第三歯車57が同軸に固定してあり、且つ前記第三歯車57と噛み合う第四歯車58が設けてあり、前記第四歯車58には駆動軸59が設けてあり、なお、前記駆動軸59が前記固定片51を貫通し前記発電組52に連結する。
【００１４】
前記音光発生組60は、前記上はずみ車20と下はずみ車40との間に設置され、且つ前記固定片51の一側面に固定される回路板61が設けてあり、二本の電線62が前記回路板61と接続してあり、前記電線62の回路板61との接点の他端には少なくとも一発光体63が設けてあり、前記発光体63が前記上はずみ車の貫通孔21に固定され、本実施例では、前記発光体63が発光ダイオードであり、且つ一ブザー64が設けてあり、前記ブザー64は、前記は発電組52の下方に設けられ、前記発電組52と電気的に接続する。
【００１５】
次に、図1、図3と図4を参照して使用状態を説明する。使用者の両手は前記ハンドル13を握り、且つ使用者の腰を前記当接板11に寄って身体を旋回し、そうすると、上はずみ車20と下はずみ車40とが前記連接ロッド12を中心として旋回し、且つ前記連接ロッド12が回転不能なので、結合具30と歯車組53の結合部55とも回転不能になり、なお、前記第二歯車56は、下はずみ車40に連動され、第一歯車54に対して回転し、ひいては第三歯車57と第四歯車58とも連動されて駆動軸59を回転させて前記発電組を駆動し発電し、前記ブザー64と前記回路板61とに供電して、ブザー64が「一、二、三」などの声を発生し、且つ前記回路板61が前記電線62により発光体63を発光させ、且つ使用者の旋回速度により発電の電量が異なるので、前記ブザー64の発する音量と、前記発光体63の明るさとによって、使用者が運動状況をはっきりと分かるようになり、且つ運動時の面白さも大幅に増加し、そして前記上はずみ車20と下はずみ車40が偏芯に旋回するので、運動効果が一層に向上できる。
【図面の簡単な説明】
【００１６】
【図１】本考案の斜視図である。
【図２】本考案の部品の分解斜視図である。
【図３】本考案に係る下はずみ車と発電組と音光発生組との組合の側面図である。
【図４】本考案に係る発電組の上面図である。
【符号の説明】
【００１７】
１０  本体                      １１  当接板
１２  連接ロッド                １３  ハンドル
２０  上はずみ車                ２１  貫通孔
３０  結合具                    ３１  制限部
４０  下はずみ車                ４１  重り
５０  発電装置                  ５１  固定片
５２  発電組                    ５３  歯車組
５４  第一歯車                  ５５  結合部
５５０  嵌合溝                  ５６  第二歯車
５７  第三歯車                  ５８  第四歯車
５９  駆動軸                    
６０  音光発生組                ６１  回路板
６２  電線                      ６３  発光体
【図１】
0003105537.tif 000003
【図２】
0003105537.tif 000004
【図３】
0003105537.tif 000005
【図４】
0003105537.tif 000006